(57)【要約】【課題】  分割バックアップしたコンテンツを視聴する際の利便性を向上する。【解決手段】  バックアップ元コンテンツを記録媒体の記録容量に応じた長さに分割し、一連の複数の分割バックアップコンテンツを生成するコンテンツ分割装置と、コンテンツ分割装置によって生成された複数の分割バックアップコンテンツを、それぞれ対応する記録媒体に記録する記録装置とをコンテンツ記録システムに設け、コンテンツ分割装置は、分割バックアップコンテンツの先頭がその前の分割バックアップコンテンツの末尾部分に所定時間重複するように、バックアップ元コンテンツを分割するようにした。【選択図】        図２
2005259201.tif 000002
【特許請求の範囲】
【請求項１】
バックアップ元コンテンツを記録媒体の記録容量に応じた長さに分割し、一連の複数の分割バックアップコンテンツを生成するコンテンツ分割装置と、
上記コンテンツ分割装置によって生成された複数の分割バックアップコンテンツを、それぞれ対応する上記記録媒体に記録する記録装置と
を具え、
上記コンテンツ分割装置は、上記分割バックアップコンテンツの先頭がその前の上記分割バックアップコンテンツの末尾部分に所定時間重複するように、上記バックアップ元コンテンツを分割する
ことを特徴とするコンテンツ記録システム。
【請求項２】
上記コンテンツ分割装置は、上記バックアップ元コンテンツのシーンの切れ目を検出し、当該検出したシーンの切れ目を当該バックアップ元コンテンツを分割する際の分割点とする
ことを特徴とする請求項１に記載のコンテンツ記録システム。
【請求項３】
上記コンテンツ分割装置は、上記複数の分割バックアップコンテンツそれぞれに対し、上記バックアップ元コンテンツを分割した際の順序情報をコンテンツ名として付加する
ことを特徴とする請求項１に記載のコンテンツ記録システム。
【請求項４】
上記コンテンツ分割装置は、上記複数の分割バックアップコンテンツそれぞれのコンテンツ名に対し、上記バックアップ元コンテンツのコンテンツ名をさらに付加する
ことを特徴とする請求項３に記載のコンテンツ記録システム。
【請求項５】
バックアップ元コンテンツをバックアップ先の記録媒体の記録容量に応じた長さに分割して、一連の複数の分割バックアップコンテンツを生成するコンテンツ分割手段
を具え、
上記コンテンツ分割手段は、上記分割バックアップコンテンツの先頭がその前の上記分割バックアップコンテンツの末尾部分に所定時間重複するように、上記バックアップ元コンテンツを分割する
ことを特徴とするコンテンツ分割装置。
【請求項６】
上記コンテンツ分割手段は、上記バックアップ元コンテンツのシーンの切れ目を検出し、当該検出したシーンの切れ目を当該バックアップ元コンテンツを分割する際の分割点とする
ことを特徴とする請求項５に記載のコンテンツ分割装置。
【請求項７】
上記複数の分割バックアップコンテンツそれぞれに対し、上記バックアップ元コンテンツを分割した際の順序情報をコンテンツ名として付加するコンテンツ名付加手段
を具えることを特徴とする請求項５に記載のコンテンツ分割装置。
【請求項８】
上記コンテンツ名付加手段は、上記複数の分割バックアップコンテンツそれぞれのコンテンツ名に対し、上記バックアップ元コンテンツのコンテンツ名をさらに付加する
ことを特徴とする請求項７に記載のコンテンツ分割装置。
【請求項９】
バックアップ元コンテンツをバックアップ先の記録媒体の記録容量に応じた長さに分割して、一連の複数の分割バックアップコンテンツを生成するコンテンツ分割方法であって、
上記分割バックアップコンテンツの先頭がその前の上記分割バックアップコンテンツの末尾部分に所定時間重複するように、上記バックアップ元コンテンツを分割する
ことを特徴とするコンテンツ分割方法。
【請求項１０】
上記バックアップ元コンテンツのシーンの切れ目を検出し、当該検出したシーンの切れ目を当該バックアップ元コンテンツを分割する際の分割点とする
ことを特徴とする請求項９に記載のコンテンツ分割方法。
【請求項１１】
上記複数の分割バックアップコンテンツそれぞれに対し、上記バックアップ元コンテンツを分割した際の順序情報をコンテンツ名として付加する
を具えることを特徴とする請求項９に記載のコンテンツ分割方法。
【請求項１２】
上記複数の分割バックアップコンテンツそれぞれのコンテンツ名に対し、上記バックアップ元コンテンツのコンテンツ名をさらに付加する
ことを特徴とする請求項１１に記載のコンテンツ分割方法。
【発明の詳細な説明】
【技術分野】
【０００１】
本発明はコンテンツ記録システムに関し、映像コンテンツを分割して複数の記録媒体に分割記録する場合に適用して好適なものである。
【背景技術】
【０００２】
従来、テレビジョン放送等の映像コンテンツをハードディスクドライブに記録するようになされたハードディスクレコーダが提案されている。
【０００３】
また、上述したハードディスクレコーダに対して記録型ＤＶＤ（Digital Versatile Disc）ドライブを接続し、ハードディスクレコーダに記録した映像コンテンツをＤＶＤ−ＲＡＭ（Digital Versatile Disc-Random Access Memory）等の記録媒体にバックアップすることも考えられる（例えば特許文献１参照）。
【特許文献１】特開２００２−２４５７１７公報
【発明の開示】
【発明が解決しようとする課題】
【０００４】
ここで、記録媒体にバックアップしようとする映像コンテンツの全長が当該記録媒体の記録可能時間よりも長い場合、当該映像コンテンツを複数の記録媒体に分割して記録することになる。以下、これを分割バックアップと呼ぶ。かかる分割バックアップにおいては、映像コンテンツを記録媒体の容量一杯まで映像コンテンツを記録し、続く映像コンテンツを次の記録媒体に順次記録していくことが一般的である。そして再生時には、当該映像コンテンツを分割記録した複数の記録媒体を、記録順と同一順序で順次交換して再生していく。
【０００５】
しかしながらこの場合、再生時において映像コンテンツのシーン途中で記録媒体を交換する必要があり、コンテンツ視聴の連続性が妨げられてしまうという問題があった。
【０００６】
また、映像コンテンツを分割記録した複数の記録媒体の再生順序を間違えると、映像コンテンツを正常な順序で視聴し得なくなるという問題があった。
【０００７】
本発明は以上の点を考慮してなされたもので、分割バックアップしたコンテンツを視聴する際の利便性を向上したコンテンツ記録システムを提案しようとするものである。
【課題を解決するための手段】
【０００８】
かかる課題を解決するため本発明においては、バックアップ元コンテンツを記録媒体の記録容量に応じた長さに分割し、一連の複数の分割バックアップコンテンツを生成するコンテンツ分割装置と、コンテンツ分割装置によって生成された複数の分割バックアップコンテンツを、それぞれ対応する記録媒体に記録する記録装置とをコンテンツ記録システムに設け、コンテンツ分割装置は、分割バックアップコンテンツの先頭がその前の分割バックアップコンテンツの末尾部分に所定時間重複するように、バックアップ元コンテンツを分割するようにした。
【０００９】
そして本発明においては、バックアップ元コンテンツのシーンの切れ目を検出し、当該検出したシーンの切れ目を当該バックアップ元コンテンツを分割する際の分割点とするようにした。
【００１０】
分割バックアップコンテンツの先頭が、その前の分割バックアップコンテンツの末尾部分に重複するようにしたことにより、分割バックアップコンテンツを視聴する際、記録媒体の入れ替えを行ったことによってコンテンツの視聴が一時中断された場合でも、入れ替え作業前に視聴していたシーンの末尾を再び視聴することができ、コンテンツの連続性を補うことができる。
【００１１】
また本発明においては、複数の分割バックアップコンテンツそれぞれに対し、バックアップ元コンテンツを分割した際の順序情報をコンテンツ名として付加するようにした。
【００１２】
さらに本発明においては、複数の分割バックアップコンテンツそれぞれのコンテンツ名に対し、バックアップ元コンテンツのコンテンツ名をさらに付加するようにした。
【００１３】
これにより、バックアップ元コンテンツと分割バックアップコンテンツとの関連性が明確になるとともに、分割バックアップコンテンツのコンテンツ名に基づいて、正しい順序で分割バックアップコンテンツを視聴させることができる。
【発明の効果】
【００１４】
本発明によれば、シーンの切れ目を分割箇所として分割バックアップするとともに、分割バックアップコンテンツの先頭にその前の分割バックアップコンテンツの末尾を重複して記録するようにし、さらには分割バックアップコンテンツのコンテンツ名をバックアップ元コンテンツとの関連性及びバックアップ順序が判別できるようにしたことにより、分割バックアップしたコンテンツを視聴する際の利便性を向上し得たコンテンツ記録システムを実現できる。
【発明を実施するための最良の形態】
【００１５】
以下図面について、本発明の一実施の形態を詳述する。
【００１６】
（１）映像記録システムの全体構成
図１において、１は全体として本発明によるコンテンツ記録システムとしての映像記録システムを示し、ハードディスクレコーダ２に対して光ディスクドライブ３が接続されて構成されている。
【００１７】
ハードディスクレコーダ２においては、装置各部を統括的に制御するＣＰＵ１１に対し、バス１２を介して映像入出力部１３、映像処理部１４、ハードディスクドライブ１５、ディジタルインターフェース１６、操作部１７及び表示部１８が接続されて構成される。
【００１８】
映像コンテンツの記録時においてハードディスクレコーダ２は、テレビジョン装置や衛星放送チューナ等の受信装置から供給されるアナログ映像信号Ｓ１（映像に伴う音声を含む）を映像入出力部１３でディジタル変換してディジタル映像信号Ｄ１を生成し、これを映像処理部１４に供給する。映像処理部１４は、ディジタル映像信号Ｄ１に対してＭＰＥＧ（Moving Picture Expert Group）２方式で圧縮符号化処理を施して符号化映像信号Ｄ２を生成し、これを映像コンテンツとしてファイル化してハードディスクドライブ１５に保存する。
【００１９】
このときＣＰＵ１１は、ディジタル映像信号Ｄ１における映像の連続性に基づいて、シーンが変わるタイミング（これをシーン変換点と呼ぶ）を順次検出し、当該検出したシーン変換点の時間情報を保存した映像コンテンツのファイルに付加する。
【００２０】
一方映像コンテンツの再生時において、ハードディスクレコーダ２の映像処理部１４は、ハードディスクドライブ１５に保存された映像コンテンツを読み出し、読み出した符号化映像信号Ｄ２に対して伸長復号処理を施してディジタル映像信号Ｄ１を復元し映像入出力部１３に供給する。映像入出力部１３は、ディジタル映像信号Ｄ１をアナログ変換して映像信号Ｄ１を生成し、これを外部のテレビジョン装置やモニタ等の各種表示装置に出力する。
【００２１】
かかる構成に加えてハードディスクレコーダ２は、ディジタルインターフェース１６及び２３を介して光ディスクドライブ３を制御し得るようになされている。そしてハードディスクレコーダ２は、ハードディスクドライブ１５に保存された映像コンテンツを、光ディスクドライブ３に装着された記録媒体としての光ディスク３０にバックアップする。
【００２２】
すなわち映像コンテンツのバックアップ時において、ハードディスクレコーダ２のＣＰＵ１１は、バックアップしようとする映像コンテンツをハードディスクドライブ１５から読み出し、読み出した符号化映像信号Ｄ２をディジタルインターフェース１６を介して光ディスクドライブ３に供給する。
【００２３】
光ディスクドライブ３においては、装置各部を統括的に制御するＣＰＵ２１に対し、バス２２を介してディジタルインターフェース２３及びドライブ部２４が接続されて構成される。光ディスクドライブ３は、ハードディスクレコーダ２から供給された符号化映像信号Ｄ２をディジタルインターフェース２３を介して受け取り、ドライブ部２４に装着された光ディスク３０に記録することにより映像コンテンツをバックアップする。
【００２４】
（２）映像コンテンツの分割バックアップ
上述した映像コンテンツのバックアップの際、ハードディスクレコーダ２はまず、記録装置としての光ディスクドライブ３に対して装着されている光ディスク３０の記録容量を問い合わせる。そしてハードディスクレコーダ２は、光ディスク３０の記録容量と、バックアップしようとする映像コンテンツ（これをバックアップ元コンテンツと呼ぶ）のファイルサイズとを比較する。
【００２５】
保存先の光ディスク３０の記録容量がバックアップ元コンテンツのファイルサイズ以上の場合、ハードディスクドライブ２は、当該バックアップ元コンテンツをそのまま１枚の光ディスク３０にバックアップする。
【００２６】
これに対して、保存先の光ディスク３０の記録容量がバックアップ元コンテンツのファイルサイズ未満の場合、コンテンツ分割装置としてのハードディスクドライブ２は当該バックアップ元コンテンツを適宜分割して複数の光ディスク３０に分割バックアップする。
【００２７】
すなわちハードディスクレコーダ２は、上述したシーン変換点の時間情報に基づき、各光ディスク３０の記録時間内で最も遅いタイミングのシーン変換点をそれぞれ保存分割点ＴＤｎ（ｎ＝１、２、３、……）として設定し、当該保存分割点を記録終了タイミングとして各ディスク３０にバックアップ元コンテンツを分割バックアップしていく。
【００２８】
このときハードディスクレコーダ２は、各光ディスク３０に対する分割バックアップの記録開始タイミングを、保存分割点ＴＤｎから所定の重複時間ＴＷだけ遡ってバックアップを開始するようにする。
【００２９】
すなわち図２に示すように、１枚目の光ディスク３０に対しては、バックアップ元コンテンツの開始点ＴＳを記録開始タイミングＴＳ１とするとともに、第１の保存分割点ＴＤ１を記録終了タイミングＴＥ１とし、当該記録開始タイミングＴＳ１から記録終了タイミングＴＥ１までを分割バックアップコンテンツとして記録する。
【００３０】
そして次の２枚目の光ディスク３０に対しては、第１の保存分割点ＴＤ１から重複時間ＴＷだけ前のタイミングを記録開始タイミングＴＳ２とするとともに、第２の保存分割点ＴＤ２を記録終了タイミングＴＥ２とし、当該記録開始タイミングＴＳ２から記録終了タイミングＴＥ２までを分割バックアップコンテンツとして記録する。
【００３１】
以下同様にｎ枚目の光ディスク３０に対して、ｎ−１番目の保存分割点ＴＤｎ−１から重複時間ＴＷだけ前のタイミングを記録開始タイミングＴＳｎとするとともに、第ｎの保存分割点ＴＤｎを記録終了タイミングＴＥｎとし、当該記録開始タイミングＴＳｎから記録終了タイミングＴＥｎまでを分割バックアップコンテンツとして記録する。
【００３２】
かくしてハードディスクレコーダ２は、２枚目以降の光ディスク３０にバックアップした分割バックアップコンテンツの先頭に、その１枚前の光ディスク３０に分割バックアップした分割バックアップコンテンツの末尾を重複時間ＴＷだけ重複して記録する。
【００３３】
（３）分割バックアップにおけるコンテンツ名の自動付加
かかる構成に加えてハードディスクレコーダ２は、上述した分割バックアップの際、各光ディスク３０それぞれに記録する分割バックアップコンテンツに対し、バックアップ元コンテンツとの関連性及びバックアップ順序が判別できるようなコンテンツ名を自動付加する。具体的には、各光ディスク３０それぞれに記録する分割バックアップコンテンツのコンテンツ名を、「バックアップ元コンテンツのコンテンツ名＋バックアップ順序の番号」とする。
【００３４】
例えば図２に示すように、バックアップ元コンテンツのコンテンツ名を「ドラマ」とすると、１枚目の光ディスク３０に記録した分割バックアップコンテンツのコンテンツ名は「ドラマ１」、２枚目の光ディスク３０に記録した分割バックアップコンテンツのコンテンツ名は「ドラマ２」となる。
【００３５】
これによりユーザは、分割バックアップした複数枚の光ディスク３０の再生順序がわからなくなった場合でも、当該光ディスク３０に記録された分割バックアップコンテンツのコンテンツ名を参照することにより、正しい順序で映像コンテンツを再生することができる。
【００３６】
（４）分割バックアップ処理手順
次に、上述した分割バックアップを行うための分割バックアップ処理手順を、図３に示すフローチャートを用いて詳細に説明する。
【００３７】
ハードディスクレコーダ２のＣＰＵ１１は、コンテンツのバックアップ指示が操作部１７を介して入力されると、分割バックアップ処理手順ルーチンＲＴ１の開始ステップから入って次のステップＳＰ１に移る。
【００３８】
ステップＳＰ１においてＣＰＵ１１は、光ディスクドライブ３に対して光ディスク３０の記録容量の問い合わせを行い、当該問い合わせに対する回答として記憶容量情報を受け取ると、次のステップＳＰ２に移る。
【００３９】
ステップＳＰ２においてＣＰＵ１１は、光ディスク３０の記録容量と、バックアップしようとする映像コンテンツのファイルサイズとを比較する。ステップＳＰ２において、光ディスク３０の記録容量がバックアップ元コンテンツのファイルサイズ以上の場合、ＣＰＵ１１はステップＳＰ３に移り、当該バックアップ元コンテンツをそのまま１枚の光ディスク３０にバックアップした後、ステップＳＰ４に移って処理を終了する。
【００４０】
これに対してステップＳＰ２において、光ディスク３０の記録容量がバックアップ元コンテンツのファイルサイズ未満の場合、ＣＰＵ１１はステップＳＰ５に移る。
【００４１】
ステップＳＰ５においてＣＰＵ１１は、バックアップ元コンテンツの開始点ＴＳを記録開始タイミングＴＳ１とするとともに、第１の保存分割点ＴＤ１を記録終了タイミングＴＥ１とし、当該記録開始タイミングＴＳ１から記録終了タイミングＴＥ１までを分割バックアップコンテンツとして１枚目の光ディスク３０にバックアップし、バックアップが完了すると次のステップＳＰ６に移る。
【００４２】
ステップＳＰ６においてＣＰＵ１１は、バックアップ元コンテンツに対する分割バックアップが完了したか否かを判定する。ステップＳＰ５において、分割バックアップが完了していないと判定した場合、ＣＰＵ１１は次のステップＳＰ７に移り、光ディスクの入れ替えを促すメッセージを表示部１８に表示し、光ディスク３０の入れ替えが完了した旨の通知を光ディスクドライブ３から受け取ると、次のステップＳＰ８に移る。
【００４３】
ステップＳＰ８においてＣＰＵ１１は、ｎ枚目の光ディスク３０に対して、ｎ−１番目の保存分割点ＴＤｎ−１から重複時間ＴＷだけ前のタイミングを記録開始タイミングＴＳｎとするとともに、第ｎの保存分割点ＴＤｎを記録終了タイミングＴＥｎとし、当該記録開始タイミングＴＳｎから記録終了タイミングＴＥｎまでを分割バックアップコンテンツとしてバックアップする。そして、バックアップが完了するとＣＰＵ１１はステップＳＰ６に戻り、バックアップ元コンテンツに対する分割バックアップが完了したか否かを再度判定する。そして、ステップＳＰ６において分割バックアップが完了したと判定した場合、ＣＰＵ１１はステップＳＰ４に移って処理を終了する。
【００４４】
（５）動作及び効果
以上の構成において、ハードディスクレコーダ２のＣＰＵ１１は、バックアップ元コンテンツのファイルサイズが光ディスク３０の記録容量よりも大きい場合、当該バックアップ元コンテンツを分割して複数の光ディスク３０にバックアップする。このときハードディスクレコーダ２のＣＰＵ１１は、予めバックアップ元コンテンツから検出しておいたシーン変換点の時間情報に基づき、シーンの切れ目でバックアップ元コンテンツを分割して各光ディスク３０にバックアップする。
【００４５】
このため、分割バックアップされたコンテンツを視聴する際の、光ディスク３０の入れ替えタイミングとシーンの切れ目とが一致し、これによりシーン途中でのディスク入れ替え作業を防止することができる。
【００４６】
これに加えてハードディスクレコーダ２のＣＰＵ１１は、各光ディスク３０に記録する分割バックアップコンテンツの先頭に、その前の分割バックアップコンテンツの末尾を重複時間ＴＷだけ重複して記録するようにした。
【００４７】
これによりユーザは、分割バックアップされたコンテンツを視聴する際、光ディスク３０の入れ替えを行ったことによってコンテンツの視聴が一時中断された場合でも、入れ替え作業前に視聴していたシーンの末尾を再び視聴することができ、コンテンツの連続性を補うことができる。
【００４８】
さらにハードディスクレコーダ２のＣＰＵ１１は、各光ディスク３０に記録する分割バックアップコンテンツのコンテンツ名を「バックアップ元コンテンツのコンテンツ名＋バックアップ順序の番号」とすることにより、バックアップ元コンテンツと分割バックアップコンテンツとの関連性が明確になるとともに、分割バックアップコンテンツのコンテンツ名に基づいて、正しい順序で分割バックアップコンテンツを視聴させることができる。
【００４９】
なおディジタルテレビジョン放送を介して提供されるコンテンツには、ユーザが録画したコンテンツの複製を禁止するようになされたものがあり（いわゆるコピーワンス）、このようなコンテンツは上述したコンテンツ末尾の重複記録を行うことができない。
【００５０】
しかしながら一般にこのようなコピーワンスコンテンツにおいては、短時間（例えば１分）ならばコンテンツの複製を許可するようになされており、この複製許可時間よりも重複時間ＴＷを短く設定することにより、コピーワンス制限を回避してコンテンツ末尾の重複記録を行うことができる。
【００５１】
以上の構成によれば、シーンの切れ目を分割箇所として分割バックアップするとともに、分割バックアップコンテンツの先頭にその前の分割バックアップコンテンツの末尾を重複して記録するようにし、さらには分割バックアップコンテンツのコンテンツ名をバックアップ元コンテンツとの関連性及びバックアップ順序が判別できるようにしたことにより、分割バックアップしたコンテンツを視聴する際の利便性を向上することができる。
【００５２】
（６）他の実施の形態
なお上述の実施の形態においては、各分割バックアップコンテンツの先頭に、その前の分割バックアップコンテンツの末尾を重複して記録するようにしたが、本発明はこれに限らず、図４（Ａ）に示すように、保存分割点を中心として分割バックアップコンテンツの末尾と先頭を重複するようにしたり、あるいは図４（Ｂ）に示すように、各分割バックアップコンテンツの末尾に、その次の分割バックアップコンテンツの先頭を重複して記録するようにしてもよい。
【００５３】
また上述の実施の形態においては、コンテンツを光ディスクに分割バックアップする場合について述べたが、本発明はこれに限らず、例えばバックアップ元コンテンツをビデオテープに分割バックアップするなど、他の種々の記録媒体にコンテンツを分割バックアップする際に適用できる。
【００５４】
さらに上述の実施の形態においては、映像コンテンツを分割バックアップする場合について述べたが、音声コンテンツを分割バックアップする際にも本発明を適用することができる。
【００５５】
さらに上述の実施の形態においては、ハードディスクレコーダ２と光ディスクドライブ３とで映像記録システム１を構成し、ハードディスクレコーダ２が光ディスクドライブ３を制御するようにしたが、本発明はこれに限らず、図５に示すようにテレビジョン装置４をハードディスクレコーダ２に接続し、当該テレビジョン装置４がハードディスクレコーダ２及び光ディスクドライブ３を制御して分割バックアップを行うようにしてもよい。
【産業上の利用可能性】
【００５６】
本発明は、映像コンテンツを複数の記録媒体に分割バックアップする映像記録システムに適用できる。
【図面の簡単な説明】
【００５７】
【図１】映像記録システムの全体構成を示すブロック図である。
【図２】コンテンツの分割の説明に供する略線図である。
【図３】分割バックアップ処理手順を示すフローチャートである。
【図４】他の実施の形態の分割バックアップの説明に供する略線図である。
【図５】他の実施の形態の映像記録システムの構成を示すブロック図である。
【符号の説明】
【００５８】
１……映像記録システム、２……ハードディスクレコーダ、３……光ディスクドライブ、１１、２１……ＣＰＵ、１５……ハードディスクドライブ、２４……ドライブ部、３０……光ディスク。
【図１】
2005259201.tif 000003
【図２】
2005259201.tif 000004
【図３】
2005259201.tif 000005
【図４】
2005259201.tif 000006
【図５】
2005259201.tif 000007